(57)【要約】      （修正有）【課題】水道管や給湯管などの配管並びに空調用の熱媒給送管等の配管を保温のために外装被覆する配管断熱カバーにおいて、重ね合わせ部分の防水性及び防腐性を高めた配管断熱カバーを提供する。【解決手段】水道管や給湯管並びに空調用の熱媒給送管等の配管の外周囲を発泡スチロールや無機質繊維クロス等の断熱材で被覆した後、前記断熱材を巻き付けるようにして外装材を外側に装着する。その際、外装材の重ね合わせ部分である巻き付け一方端部５と巻き付け他方端部６を係合させると、前記巻き付け一方端部５の折り返し部分７内側に縦方向に沿って接着されている弾性シール材８を押し潰しながら切欠き凹部１０が先端部分９に引っ掛かりハゼカケ結合され外れないようになる。【選択図】図３
0003145672.tif 000002
【実用新案登録請求の範囲】
【請求項１】
亜鉛引き鉄板等の薄い金属板からなる外装材を断熱材の外周囲を被覆できるように円筒状に折曲げ、前記断熱材の外周囲に巻き付け、外装材の巻き付け方向の軸線方向端部をハゼカケ手段によって重ね合わせ結合する構造となっている配管断熱カバーにおいて、前記外装材の巻き付け一方端部は、軸線方向に所定幅で円筒体の内壁面に沿って折曲げ、折曲げ片の略中間部分で端部方向へ逆に折り返して折り返し部分を形成し、該折り返し部分には弾性シーリング材が挿入できる空間部を形成し、前記巻き付け一方端部の折り返し部分内側に縦方向に沿って弾性シーリング材が接着され、さらに先端部分を内側に折り返して折り返し部分側に入るように折曲げる一方、前記外装材の巻き付け他方端部は、前記巻き付け一方端部の折り返し部分側の先端部分に係合するコ字状の切欠き凹部を先端部分から軸線方向に沿って所定幅で多数個を等間隔で設けられ、前記コ字状の切欠き凹部は前記巻き付け一方端部の折り返し部分側の先端部分に係合するように湾曲面の内側に突出し、重ね合わせる際に、断熱材に巻き付けるように外装材の巻き付け一方端部と巻き付け他方端部を係合させると、切欠き凹部が先端部分に引っ掛かりハゼカケ結合され外れないようになることを特徴とする配管断熱カバー。
【請求項２】
前記外装材の円周方向の上方端部は、外装材同士を上下に連結させるために前記上方端部から所定の長さで前記ハゼカケ手段のない部分を形成し、前記巻き付け一方端部と巻き付け他方端部から傾斜状にそれぞれ切欠き部分を形成することを特徴とする請求項１記載の配管断熱カバー。
【請求項３】
一方の切欠き部分は前記巻き付け一方端部の円筒体の内側と円筒体に沿って折曲げた折り返し部分の隙間に挿入され、他方の切欠き部分は前記巻き付け他方端部の内側と前記巻き付け一方端部の先端部分との隙間に挿入されて上下の配管断熱カバーが結合されることを特徴とする請求項１記載の配管断熱カバー。
【請求項４】
前記外装材の円周方向の下方端部は、外側に突出する環状凸部を形成し、その内側の凹所には弾性シール材を接着固定することを特徴とする請求項１記載の配管断熱カバー。
【考案の詳細な説明】
【技術分野】
【０００１】
本考案は、水道管や給湯管などの配管並びに空調用の熱媒給送管等の配管を保温のために外装被覆する配管断熱カバーに関する。
【背景技術】
【０００２】
従来、外装材の取り付け取り外しを簡単容易にできる配管の断熱構造が一般的に知られている（特許文献１を参照）。
この公知技術では、配管に装着された断熱材の外周に設ける外装材として、表面に金属層を設けた無機質繊維クロスを使用すると共に、外装材の円周方向および軸線方向の重ね合わせ端部に面ファスナーをそれぞれ取り付け、前記面ファスナーの結合により、外装材を断熱材の外周に取り付けるものである。
また、環境破壊物質を使用せず、かつ充分な物理的・熱的特性を有する炭酸ガス発泡の硬質ポリウレタンフォームでなる成形断熱材を備えた低温流体輸送配管の断熱構造が知られている（特許文献２を参照）。
この公知技術は、配管の外周を割り筒形断熱材で被覆し、その外周を防湿材及び／又は外装材で被覆し、かつ外装材の合わせ目部分の隙間を粘着テープで密封して構成するものである。
本出願人は、施工現場において高度な熟練を要することなく簡単に、且つ確実に被覆を施すことができる曲管断熱カバーを発明した（特許文献３を参照）。
この公知技術は、表面に断熱防水シートが仮接着された半割体を、開いた状態で水道管、給湯管等又は空調用の熱媒給送管等の曲げ配管を挟み、半割体を閉じることにより水道管、給湯管等又は空調用の熱媒給送管等の曲げ配管の外周面に断熱防水シート付きの断熱材円筒体が被覆され、そして断熱防水シートの延長部分の未剥離両面接着テープを囲むように全面に塩化ビニル樹脂系接着剤を塗布し、未剥離両面接着テープの剥離紙を剥がして断熱材円筒体外側の断熱防水シートの重ね合わせ表面に塩化ビニル樹脂系接着剤とともに貼り付け、水道管、給湯管等または空調用の熱媒給送管等の曲げ配管の曲管断熱カバーで被覆するものである。
【特許文献１】実用新案登録第３０５１５８１号公報
【特許文献２】特開２００２−３９４９５号公報
【特許文献３】特許第３０５９４４０号公報
【考案の開示】
【考案が解決しようとする課題】
【０００３】
本考案は、水道管や給湯管などの配管並びに空調用の熱媒給送管等の配管を保温のために外装被覆する配管断熱カバーにおいて、重ね合わせ部分の防水性及び防腐性を高めた配管断熱カバーを提供することを目的とする。
【課題を解決するための手段】
【０００４】
本考案の配管断熱カバーは、亜鉛引き鉄板等の薄い金属板からなる外装材を断熱材の外周囲を被覆できるように円筒状に折曲げ、前記断熱材の外周囲に巻き付け、外装材の巻き付け方向の軸線方向端部をハゼカケ手段によって重ね合わせ結合する構造となっている配管断熱カバーにおいて、前記外装材の巻き付け一方端部は、軸線方向に所定幅で円筒体の内壁面に沿って折曲げ、折曲げ片の略中間部分で端部方向へ逆に折り返して折り返し部分を形成し、該折り返し部分には弾性シーリング材が挿入できる空間部を形成し、前記巻き付け一方端部の折り返し部分内側に縦方向に沿って弾性シーリング材が接着され、さらに先端部分を内側に折り返して折り返し部分側に入るように折曲げる一方、前記外装材の巻き付け他方端部は、前記巻き付け一方端部の折り返し部分側の先端部分に係合するコ字状の切欠き凹部を先端部分から軸線方向に沿って所定幅で多数個を等間隔で設けられ、前記コ字状の切欠き凹部は前記巻き付け一方端部の折り返し部分側の先端部分に係合するように湾曲面の内側に突出し、重ね合わせる際に、断熱材に巻き付けるように外装材の巻き付け一方端部と巻き付け他方端部を係合させると、切欠き凹部が先端部分に引っ掛かりハゼカケ結合され外れないようになるものである。
前記外装材の円周方向の上方端部は、外装材同士を上下に連結させるために前記上方端部から所定の長さで前記ハゼカケ手段のない部分を形成し、前記巻き付け一方端部と巻き付け他方端部から傾斜状にそれぞれ切欠き部分を形成するものである。
一方の切欠き部分は、前記巻き付け一方端部の円筒体の内側と円筒体に沿って折曲げた折り返し部分の隙間に挿入され、他方の切欠き部分は、前記巻き付け他方端部の内側と前記巻き付け一方端部の先端部分との隙間に挿入されて上下の配管断熱カバーが結合されるものである。
前記外装材の円周方向の下方端部は、外側に突出する環状凸部を形成し、その内側の凹所には弾性シール材を接着固定するものである。
【考案の効果】
【０００５】
本考案の配管断熱カバーは、防水性が優れているため、保温効果を維持することができ、且つ腐食を防止することができる効果がある。
【考案を実施するための最良の形態】
【０００６】
本考案の配管断熱カバーの一実施例を添付図面に基づいて、以下に説明する。
図１の斜視図に示すように、水道管や給湯管並びに空調用の熱媒給送管等の配管１の外周囲を発泡スチロールや無機質繊維クロス等の断熱材２で被覆し、さらに該断熱材２の外装材として、本考案の配管断熱カバー３が重ね合わせ外装被覆される。
本考案の配管断熱カバー３は、図２の組み立て説明図に示すように、亜鉛引き鉄板等の薄い金属板からなる外装材４を前記断熱材２の外周囲を被覆できるように円筒状に折曲げ、前記断熱材２の外周囲に巻き付け、外装材４の巻き付け方向の軸線方向端部をハゼカケ手段によって重ね合わせ結合する構造となっている。
【０００７】
図３の横断面図に示すように、前記外装材４の巻き付け一方端部５は、軸線方向に所定幅で円筒体の内壁面に沿って折曲げ、折曲げ片の略中間部分で端部方向へ逆に折り返して折り返し部分７を形成し、該折り返し部分７には弾性シーリング材８が挿入できる空間部を形成し、前記巻き付け一方端部５の折り返し部分７内側に縦方向に沿って弾性シーリング材８が接着され、さらに先端部分９を内側に折り返して折り返し部分７側に入るように折曲げ、一方、前記外装材４の巻き付け他方端部６は、前記巻き付け一方端部５の折り返し部分７側の先端部分９に係合するコ字状の切欠き凹部１０を先端部分１１から軸線方向に沿って所定幅で多数個を等間隔で設けられる。
図４の図３Ｂ−Ｂ矢視断面図に示すように、前記コ字状の切欠き凹部１０は前記巻き付け一方端部５の折り返し部分７側の先端部分９に係合するように湾曲面の内側に突出し、重ね合わせる際に、断熱材２に巻き付けるように外装材４の巻き付け一方端部５と巻き付け他方端部６を係合させると、切欠き凹部１０が先端部分９に引っ掛かりハゼカケ結合され外れないようになる。
なお、前記弾性シーリング材８は、巻き付け一方端部５の折り返し作業時に、ハゼカケ結合部分から雨水等が入り込まないように前記巻き付け一方端部５の折り返し部分７内側に縦方向に沿って接着されている。
【０００８】
図２に示すように、前記外装材４の円周方向の上方端部１２は、外装材４、４同士を上下に連結させるために前記上方端部１２から所定の長さで前記ハゼカケ手段のない部分を形成し、前記巻き付け一方端部５と巻き付け他方端部６から傾斜状にそれぞれ切欠き部分１３、１４を形成する。
そして、図５の拡大斜視図に示すように、前記切欠き部分１３は前記巻き付け一方端部５の円筒体の内側と円筒体に沿って折曲げた折り返し部分７の隙間１５に挿入され、前記切欠き部分１４は前記巻き付け他方端部６の内側と前記巻き付け一方端部５の先端部分９との隙間１６に挿入されて上下の外装材４、即ち上下の配管断熱カバー３が結合される。
【０００９】
図６の図２Ａ−Ａ断面図に示すように、前記外装材４の円周方向の下方端部１７は、外側に突出する環状凸部１８を形成し、その内側の凹所には弾性シール材１９を接着固定する。
【００１０】
本考案の配管断熱カバーの操作動作を添付図面に基づいて、以下に説明する。
水道管や給湯管並びに空調用の熱媒給送管等の配管１の外周囲を発泡スチロールや無機質繊維クロス等の断熱材２で被覆した後、前記断熱材２を巻き付けるようにして外装材４を外側に装着する。
その際、図７の部分断面図に示すように、（ａ）、（ｂ）、（ｃ）と順に前記外装材４の重ね合わせ部分である巻き付け一方端部５と巻き付け他方端部６を係合させると、弾性シール材８を押し潰しながら切欠き凹部１０が先端部分９に引っ掛かりハゼカケ結合され外れないようになる。
そして、配管断熱カバー３、３同士の結合は、図５に示すように、前記切欠き部分１３は前記巻き付け一方端部５の円筒体の内側と円筒体に沿って折曲げた折り返し部分７の隙間１５に挿入され、前記切欠き部分１４は前記巻き付け他方端部６の内側と前記巻き付け一方端部５の先端部分９との隙間１６に挿入されて結合される。
また、配管断熱カバー３、３同士の円周方向の防水性は、前記外装材４の円周方向外側に突出する環状凸部１８の凹所に設けた弾性シール材１９のシール効果により行う。
【図面の簡単な説明】
【００１１】
【図１】本考案の配管断熱カバーの使用状態を示す斜視図である。
【図２】外装材の組立を示す斜視図である。
【図３】図２の横断面図である。
【図４】図３のＡ−Ａ矢視断面図である。
【図５】本考案の配管断熱カバー同士の結合を示す拡大斜視図である。
【図６】図２のＢ−Ｂ矢視断面図である。
【図７】外装材のハゼカケ結合を示す断面図である。
【符号の説明】
【００１２】
１  配管
２  断熱材
３  配管断熱カバー
４  外装材
５  巻き付け一方端部
６  巻き付け他方端部
７  折り返し部分
８  弾性シーリング材
９  先端部分
１０  切欠き凹部
１１  先端部分
１２  上方端部
１３  切欠き部分
１４  切欠き部分
１５  隙間
１６  隙間
１７  下方端部
１８  環状凸部
１９  弾性シール材
【図１】
0003145672.tif 000003
【図２】
0003145672.tif 000004
【図３】
0003145672.tif 000005
【図４】
0003145672.tif 000006
【図５】
0003145672.tif 000007
【図６】
0003145672.tif 000008
【図７】
0003145672.tif 000009